(57)【要約】  【課題】  第１の映像入力を第２の映像入力と結合することにより、映像出力を生成するための方法、システムおよび装置を提供する。  【解決手段】  第１の入力画像は第１の映像入力からアクセスされ、第２の入力画像は第２の映像入力からアクセスされる。この場合、第２の入力画像はモノクロの背景の前で記録した選択した要素を含む。第１の領域および第２の領域は第１の入力画像から生成される。第１の領域、第２の領域、および、第１の領域を第２の領域から分離しているギャップ、を含む出力画像が生成される。選択した要素は出力画像内の少なくともギャップ上を飛越される。この場合、第１の領域および第２の領域の所定のエリアを出力画像内で依然として見ることができる。出力画像は、映像出力に内蔵される。【選択図】      図９
2008035513.tif 000002
【特許請求の範囲】
【請求項１】
第１の映像入力と第２の映像入力とを結合することにより、映像出力を生成するための方法であって、
前記第１の映像入力から第１の入力画像にアクセスし、前記第２の映像入力から第２の入力画像にアクセスするステップであって、前記第２の入力画像がモノクロの背景の前で記録した選択した要素を含むステップと、
前記第１の入力画像から第１の領域および第２の領域を生成するステップと、
前記第１の領域、前記第２の領域、および、前記第１の領域を前記第２の領域から分離するギャップを有する、出力画像を生成するステップと、
前記出力画像内の少なくとも前記ギャップ上には前記選択した要素を飛越えさせるステップであって、前記第１の領域および前記第２の領域の所定のエリアを前記出力画像内で依然として見ることができるステップと、
前記映像出力に前記出力画像を内蔵させるステップとを含む方法。
【請求項２】
第１の映像入力および第２の映像入力を結合することにより、映像出力を生成するためのシステムであって、
メモリと、
前記メモリと結合し、幾つかの動作を実行するプロセッサとを備え、前記動作が、
（ｉ）前記第１の映像入力から第１の入力画像にアクセスし、前記第２の映像入力から第２の入力画像にアクセスするステップであって、前記第２の入力画像がモノクロの背景の前で記録した選択した要素を含むステップと、
（ｉｉ）前記第１の入力画像から第１の領域および第２の領域を生成するステップと、
（ｉｉｉ）前記第１の領域、前記第２の領域、および、前記第１の領域を前記第２の領域から分離するギャップを含む出力画像を生成するステップと、
（ｉｖ）前記出力画像内の少なくとも前記ギャップ上には前記選択した要素を飛越えさせるステップであって、前記第１の領域および前記第２の領域の所定のエリアを前記出力画像内で依然として見ることができるステップと、
（ｖ）前記映像出力に前記出力画像を内蔵させるステップとを含むシステム。
【請求項３】
第１の映像入力と第２の映像入力とを結合することにより映像出力を生成するための装置であって、前記装置がコンピュータで動作を行わせることができ、
前記第１の映像入力から第１の入力画像にアクセスし、前記第２の映像入力から第２の入力画像にアクセスするステップであって、前記第２の入力画像がモノクロの背景の前で記録した選択した要素を含むステップと、
前記第１の入力画像から第１の領域および第２の領域を生成するステップと、
前記第１の領域、前記第２の領域、および、前記第１の領域を前記第２の領域から分離するギャップを含む出力画像を生成するステップと、
前記出力画像内の少なくとも前記ギャップ上には前記選択した要素を飛越えさせるステップであって、前記第１の領域および前記第２の領域の所定のエリアを前記出力画像内で依然として見ることができるステップと、
前記映像出力に前記出力画像を内蔵させるステップとを、
実行させる装置。
【請求項４】
プレゼンテーション素材に発表者をマッピングするための方法であって、
第１の映像入力内への前記プレゼンテーション素材の表示の記録を開始するステップと、
第２の映像入力内へのモノクロの背景の前に立っている発表者の記録を開始するステップと、
前記第１の映像入力から第１の入力画像にアクセスし、前記第２の映像入力から第２の入力画像にアクセスするステップであって、前記第２の入力画像が前記モノクロの背景の前で記録した発表者を含むステップと、
前記第１の入力画像から第１の領域および第２の領域を生成するステップと、
前記第１の領域、前記第２の領域、および、前記第１の領域を前記第２の領域から分離するギャップ、を含む出力画像を生成するステップと、
前記出力画像内の少なくとも前記ギャップ上に前記発表者を置くステップであって、前記第１の領域および前記第２の領域の所定のエリアを前記出力画像内で依然として見ることができるステップと、
映像出力に前記出力画像を内蔵させるステップとを含む方法。
【発明の詳細な説明】
【技術分野】
【０００１】
本発明は、プレゼンテーション素材をマッピングするための方法、システムおよび装置に関する。
【背景技術】
【０００２】
映画、放送およびケーブル・テレビジョンにおいては、「ブルースクリーン技術」と呼ばれる技術を、２つ以上の別々に捕捉した映像シーケンスを１つの映像シーケンスに結合するために使用することができる。ブルースクリーン技術は、モノクロの背景上にあるシーンを記録し、次に、モノクロの背景を異なる画像またはシーンで置き換えることができる。通常、モノクロの背景の色としては青が使用されるが、モノクロの背景の色としては他の色も使用することができる。
【０００３】
ブルースクリーン技術の場合には、第１の映像信号のモノクロの背景の色は除去され、第２の映像信号からの内容で置き換えられる。また、このプロセスは、「合成」と呼ぶこともでき、デジタルまたはアナログ技術により行うことができる。２つの映像信号から合成画像を生成するには種々の方法がある。
【０００４】
ブルースクリーン技術の使用例としては、天気図の前に立っているように見えるテレビジョン・ニュースの発表者の表示がある。発表者は、モノクロのスクリーンの前に立っている際に記録され、モノクロのスクリーンの前に立っている発表者の記録画像が天気図と結合される。
【発明の開示】
【発明が解決しようとする課題】
【０００５】
本発明は、第１の映像入力を第２の映像入力と結合することにより、映像出力を生成するための方法、システムおよび装置を提供する。第１の入力画像は、第１の映像入力からアクセスされ、第２の入力画像は、第２の映像入力からアクセスされる。この場合、第２の入力画像は、モノクロの背景の前で記録済みの選択した要素を含む。第１の領域および第２の領域が、第１の入力画像から生成される。第１の領域および第２の領域から第１の領域を分離しているギャップを有する第２の領域を含む出力画像が生成される。選択した要素は出力画像内の少なくともギャップ上に置かれる。この場合、第１の領域および第２の領域の所定のエリアを出力画像で依然として見ることができる。出力画像は、映像出力に内蔵される。
【課題を解決するための手段】
【０００６】
ある他の実施形態の場合には、第１の入力画像はあるプレゼンテーション素材を含む。この場合、第２の入力画像は、モノクロの背景の前に立っている発表者（presenter）を含み、発表者は第２の入力画像に含まれている選択した要素であり、出力画像においては、発表者は、プレゼンテーション素材に含まれている所定のエリアを覆い隠さないで、第１の映像入力および第２の映像入力は、リアルタイムで映像出力を生成する計算装置により受信される。
【０００７】
もう１つの実施形態の場合には、プレゼンテーション素材は天気図であり、発表者は発表者である。
【０００８】
さらに他の実施形態の場合には、第１の領域は第１の組のテキストを含み、第２の領域は第２の組のテキストを含み、出力画像内で依然として見ることができる所定のエリアは、第１の組のテキストおよび第２の組のテキストを含む。
【０００９】
他の実施形態の場合には、第１の入力画像は、第１の入力画像に含まれている物理フィーチャに基づいて第１の領域および第２の領域に分割される。
【００１０】
ここで図面を参照すると、これら図面全体を通して類似の参照番号は対応する部材を示す。
【発明を実施するための最良の形態】
【００１１】
本明細書の一部を形成していて、幾つかの実施形態を示す添付の図面を参照しながら以下に本発明について説明する。他の実施形態も使用することができ、構造および動作を変更することができることを理解されたい。
【００１２】
多くの状況において、発表者はプレゼンテーション素材の前に立っていて、プレゼンテーション素材の種々の場所を指し示す。プレゼンテーション素材および発表者を含むシーンを視聴者に放送する場合には、表示された映像上においては、発表者の陰になるために視聴者はプレゼンテーション素材のある部分を見ることができない。たとえば、発表者の陰になるために視聴者は天気図のある部分を見ることができない。
【００１３】
ある実施形態の場合には、発表者はプレゼンテーション素材の前に立ち移動することができ、その場合、プレゼンテーション素材の所定の要素が発表者の陰に隠れないように、プレゼンテーション素材の画像がリアルタイムで再マッピングされる。ある実施形態の場合には、視聴者がテキスト素材をいつでも読むことができるようにテキスト素材のエリアが生成され、移動する発表者の周囲にマッピングされる。
【００１４】
図１は、ある実施形態による北東部の暴風雨１０２、および中西部の寒冷前線１０４の詳細を示す例示としての天気図１００である。図１の例示としての天気図１００は、第１の映像入力の画像であってもよい。たとえば、例示としての天気図１００は、中央のまたはある地方の気象センターからの映像入力であってもよい。この場合、映像入力は複数のテレビジョン局によりダウンロードすることができる。
【００１５】
図２は、例示としての発表者の第１の位置２００を示す。この場合、この第１の位置２００に位置している場合には、例示としての発表者は北東部の暴風雨１０２の詳細を覆い隠している。例示としての発表者は中西部の寒冷前線１０４を指し示しているように見えるが、視聴者はもはや北東部の暴風雨１０２を見ることはできない。
【００１６】
図３は、例示としての発表者の第２の位置３００を示す。この場合、この第２の位置３００に位置している場合には、例示としての発表者は中西部の寒冷前線１０４の詳細を覆い隠している。例示としての発表者は北東部の暴風雨１０２を指し示しているように見えるが、視聴者は中西部の寒冷前線１０４をもはや見ることができない。
【００１７】
図４は、ある実施形態によるブルースクリーン４０２の前に立っている例示としての発表者４００を示す。ある実施形態の場合には、トラベリングマットが、リアルタイムでブルースクリーン技術で使用される。発表者４００はブルースクリーン４０２の前に立っていて、マットすなわちシルエットを生成するために特別なフィルタが発表者４００の画像を撮影する。すなわち、発表者の姿のシルエットを撮影する。このシルエットで描かれた発表者４００の姿は、天気図１００を含むプレートまたは画像上に投影することができる。図５に示すように、画像またはデジタル化した映像のこれらの２つの断片を結合すると、発表者５００が、実際の天気図５０２の前に実際に立っているように見える。それ故、図５は、ある実施形態による発表者５００のような発表者の周囲の天気図１００のようなプレゼンテーション素材の例示としてのデジタル再マッピングを示す。
【００１８】
ある実施形態の場合には、視聴者から天気図１００の暴風雨、寒冷前線等のような予め選択したフィーチャが覆い隠されないように、天気図１００のようなプレゼンテーション素材が、発表者５００の周囲にリアルタイムでデジタル的に再マッピングされる。発表者５００が画面の一方の端から他方の端に、すなわち東から西にまたは西から東に移動すると、天気図１００の有意の部分が覆い隠されないように、発表者５００の周囲に天気図１００が動的に再マッピングされる。
【００１９】
図５の実施形態は、天気図のようなグラフィックスに特に適用することができるが、他の実施形態は、テキスト表示またはテキストおよびグラフィックス両方を含む表示に適用することができる。図５の実施形態を十分な処理能力およびメモリを有するコンピューティング・デバイスで実施した場合には、再マッピングをリアルタイムで実行することができる。さらに、ブルースクリーン技術を実施するためのある現在のデバイスを、再マッピングがリアルタイムで行われるように、図５の実施形態を実施するために修正することができる。
【００２０】
ある実施形態は、テレビジョン制作で現在使用しているブルースクリーン技術を修正したものを使用している。たとえば、発表者５００は、ブルースクリーン４０２の前で撮影することができ、発表者の画像をプレゼンテーション素材の画像の上に置くことができる。しかし、従来技術のブルースクリーン技術の他に、発表者５００がプレゼンテーション素材５０２を覆い隠さないように、図５のプレゼンテーション素材が、発表者５００の左５０４および右５０６に動的に再マッピングされ、描き直される。
【００２１】
ある実施形態の場合には、発表者５００が表示中に移動すると、発表者５００がプレゼンテーション素材を覆い隠さないように、画像が左右にリアルタイムでプレゼンテーション素材を動的に再マッピングする。ある実施形態の場合には、発表者５００の左右への素材を、使用できるスクリーン・サイズに合わせて圧縮しなければならない場合がある。
【００２２】
図５の特定の実施形態の場合には、発表者５００の左５０４および右５０６に幾分圧縮した形で全天気図１００を表示することができる。天気図１００の有意の詳細が閲覧のために保存される。たとえば、図５の天気図５０２でテキサス州５０８の南部先端を見ることができるが、図３の場合には発表者３００により覆い隠されている。
【００２３】
図５の場合には、左に位置する第１の領域５０４と右に位置する第２の領域５０６の間にギャップ５１０が形成される。発表者５００の画像は、主としてギャップ５１０内に位置しているか、または別の方法としては天気図はギャップ５１０の左右に分散している。すなわち、出力画像としての天気図はギャップ５１０を飛越えている。
【００２４】
他のある実施形態の場合には、地図のようなグラフィックスを地図内の物理フィーチャにより第１および第２の領域に分割することができる。たとえば、河川のような自然の境界、州境、または山脈のような地形を地図を第１および第２の領域に分割するために使用することができる。ある実施形態の場合には、視聴者にとって自然な方法で地図を分割することができ、一方、発表者５００がプレゼンテーション素材を横切って移動した場合に、動作を依然としてリアルタイムで行うことができる。
【００２５】
図６は、ある実施形態によるテキスト６０４を含む表示６０２の前に立っている例示としての発表者６００を示す。テキスト６０４を含むプレゼンテーション素材を処理する場合、テキスト６０４の幾つかのブロックは、視聴者がテキスト６０４を読むことができるように合理的に移動される。
図６の場合には、発表者６００は、数日の一部および木曜日のすべてを覆い隠している。そうしたい場合には、視聴者は、発表者６００によりテキストのどの部分も覆い隠されないようにすることができる。
【００２６】
図７は、ある実施形態による発表者７００の周囲のテキストを含むプレゼンテーション素材の例示としてのデジタル再マッピングを示す。ある実施形態の場合には、図７の曜日は５つのチャンク（塊）、すなわち、月曜、火曜、水曜、木曜および金曜に分割される。発表者７００が左から右に、または右から左に移動すると、全チャンクが発表者の左右に移動するが、チャンク自体は決して分割されない。発表者５００が一番右端に立っている場合には、すべてのチャンクはスクリーンの左に表示される。発表者５００が一番左端に立っている場合には、すべてのチャンクはスクリーンの右に表示される。図の場合には、発表者７００は、ほとんどの場合、毎日の気象情報を示すチャンクの間のギャップ７０２内に位置する。すなわち、出力画像としての気象情報はギャップ７０２を飛越えている。
【００２７】
図８は、ある実施形態によるコンピュータ８０２を含む計算環境８００を示す。コンピュータ８０２は、パーソナル・コンピュータ、ワークステーション、メインフレーム、ハンドヘルド・コンピュータ、パームトップ・コンピュータ、電話装置、ネットワーク機器、ブレード・コンピュータ等のような現在業界で周知のものを含む任意の適当な計算装置であってもよい。コンピュータ８０２は、第１の映像入力８０４および第２の映像入力８０６を受信する。
【００２８】
第１の映像入力８０４は、コンピュータ８０２に送られる画像のシーケンス８０４ａ，８０４ｂ，．．．，８０４ｎを含む。第１の映像入力８０４は、天気図１００のようなプレゼンテーション素材８０８を含む。
【００２９】
第２の映像入力８０６は、コンピュータ８０２に送られる画像のシーケンス８０６ａ，８０６ｂ，．．．，８０６ｎを含む。第２の映像入力８０６は、モノクロの背景４０２の前に立っている画像化された発表者４００のようなニュース司会者８１０を含む。
【００３０】
プレゼンテーション・マッピング・アプリケーション８０２は、プレゼンテーション素材８０８およびニュース司会者８１０の画像から映像出力８１４を生成する。映像出力８１４は、第１の映像入力８０４および第２の映像入力８０６から生成した出力画像８１４ａ，８１４ｂ，．．．，８１４ｎを含む。たとえば、出力画像８１４ａは、図１〜図７の実施形態により画像８０４ａおよび画像８０６ａから生成することができる。
【００３１】
図９は、ある実施形態によるニュース司会者８１０の周囲のプレゼンテーション素材８０８の再マッピングのフローチャートである。図９で実施する幾つかの動作は、コンピュータ８０２内のプレゼンテーション・マッピング・アプリケーション８１２で実施される。
【００３２】
制御はブロック９００から開始する。この場合、プレゼンテーション・マッピング・アプリケーション８１２は、第１の映像入力８０４から第１の入力画像８０８にアクセスし、第２の映像入力８０６から第２の入力画像８１０にアクセスする。第１の入力画像８０８は、天気図１００のような表示の画像であってもよい。第２の入力画像８１０は、ブルースクリーンのようなモノクロの背景の前で記録した発表者４００のようなニュース司会者のような要素を含む。
【００３３】
プレゼンテーション・マッピング・アプリケーション８１２は、（ブロック９０２において）第１の入力画像８０８から第１の領域および第２の領域を生成する。たとえば、ある実施形態の場合には、第１の領域は発表者５００の左側の領域５０４であってもよいし、第２の領域は発表者の右側の領域５０６であってもよい。
【００３４】
プレゼンテーション・マッピング・アプリケーション８１２は、（ブロック９０４において）第１の領域、および第２の領域から第１の領域を分離しているギャップ５１０のようなギャップを有する第２の領域を含む出力画像８１４ａを生成する。
【００３５】
プレゼンテーション・マッピング・アプリケーション８１２は、（ブロック９０６において）出力画像８１４ａ内の少なくともギャップ上に選択した要素を飛越えさせる。この場合、第１の領域および第２の領域の所定のエリアを、出力画像８１４ａ内で依然として見ることができる。たとえば、テキサス州の南部先端５０８は、出力画像８１４ａに対応することができる例示としての出力画像５０２で依然として見ることができる。制御はブロック９０８に進み、ここでプレゼンテーション・マッピング・アプリケーション８１２は、映像出力８１４内に出力画像８１４ａを含む。出力画像８１４ａで多くの異なる方法により、第１の領域、第２の領域、選択した要素およびギャップを統合することによりギャップ内に選択した要素を入れることができる。
【００３６】
それ故、図１〜図９は、発表者がプレゼンテーション素材に含まれている所定のエリアを覆い隠さないで、映像出力がリアルタイムで生成されるある実施形態を示す。ある実施形態の場合には、第１の領域は、発表者７００の左に、図７に示すような曜日、月曜、火曜、水曜および木曜に対するテキストのような第１の組のテキストを含み、第２の領域は、金曜に対するテキストのような第２の組のテキストを含む。この場合、出力画像内で依然として見ることができる所定のエリアは、第１の組のテキストおよび第２の組のテキストを含む。ある実施形態の場合には、プレゼンテーション素材の画像は、プレゼンテーション素材の画像に含まれている内容に基づいて、第１の領域および第２の領域に分割される。
（他の実施形態の詳細）
【００３７】
上記技術は、ソフトウェア、ファームウェア、マイクロコード、ハードウェアおよび／またはこれらの組合せを含む方法、装置、装置、および、装置として実施することができる。本明細書においては、「装置」という用語は、媒体で実施されるコードまたはロジックを意味する。この場合、このような媒体は、ハードウェア・ロジック［たとえば、集積回路チップ、プログラマブル・ゲートアレイ（ＰＧＡ）、特定用途向け集積回路（ＡＳＩＣ）等］または磁気記憶媒体（たとえば、ハードディスク・ドライブ、フレキシブル・ディスク、テープ等）のようなコンピュータ読み取り可能媒体、光学記憶装置（ＣＤ−ＲＯＭ、光ディスク等）、揮発性および不揮発性メモリ・デバイス［たとえば、電気消去可能なプログラマブル読取り専用メモリ（ＥＥＰＲＯＭ）、読取り専用メモリ（ＲＯＭ）、プログラマブル読取り専用メモリ（ＰＲＯＭ）、ランダム・アクセス・メモリ（ＲＡＭ）、ダイナミック・ランダム・アクセス・メモリ（ＤＲＡＭ）、スタティック・ランダム・アクセス・メモリ（ＳＲＡＭ）、フラッシュ、ファームウェア、プログラマブル・ロジック等］を備えることができる。コンピュータ読み取り可能媒体内のコードはプロセッサによりアクセスされ、実行される。コードまたはロジックがコード化される媒体は、また、空間、または光ファイバ、銅線等のような送信媒体を通して伝搬する送信信号を有することができる。コードまたはロジックがコード化される送信信号は、さらに、無線信号、衛星送信、無線波、赤外線信号、Ｂｌｕｅｔｏｏｔｈ等を含むことができる。コードまたはロジックがコード化される送信信号は、送信局により送信し、受信局により受信することができる。この場合、送信信号でコード化されたコードまたはロジックは、受信および送信局またはデバイスのところで、ハードウェアまたはコンピュータ読み取り可能媒体内で復号し、格納することができる。さらに、「装置」は、コードが埋設され、処理され、また実行されるハードウェアおよびソフトウェア・コンポーネントの組合せを含むことができる。もちろん、当業者であれば、実施形態の範囲から逸脱することなしに多くの修正を行うことができること、および装置が任意の情報記憶媒体を備えることができることを理解することができるだろう。たとえば、装置は、機械により実行された場合に、動作が実行される命令をその内部に格納している記憶媒体を備える。
【００３８】
ある実施形態は、全体がハードウェアである実施形態、全体がソフトウェアである実施形態、またはハードウェア要素およびソフトウェア要素の両方を含む実施形態の形をとることができる。好ましい実施形態の場合には、本発明は、ファームウェア、常駐ソフトウェア、マイクロコード等を含むが、含むことができるものがこれらに限定されないソフトウェアで実施される。
【００３９】
さらに、ある実施形態は、コンピュータまたは任意の命令実行システムによりまたはそれと一緒に使用するためのプログラム・コードを供給するコンピュータ使用可能媒体またはコンピュータ読み取り可能媒体からアクセスすることができる装置の形をとることもできる。この説明のために、コンピュータ使用可能媒体またはコンピュータ読み取り可能媒体は、命令実行システム、装置またはデバイスによりまたはそれと一緒に使用するためのプログラムを含み、格納し、通信し、伝搬し、または転送することができる任意の装置であってもよい。この媒体は、電子、磁気、光学、電磁、赤外線または半導体システム（または装置またはデバイス）または伝搬媒体であってもよい。コンピュータ読み取り可能媒体の例としては、半導体または固体メモリ、磁気テープ、取外し可能なコンピュータ・ディスケット、ランダム・アクセス・メモリ（ＲＡＭ）、読取り専用メモリ（ＲＯＭ）、剛性の磁気ディスクおよび光ディスク等がある。光ディスクの現在の使用例としては、コンパクト・ディスク−読取り専用メモリ（ＣＤ−ＲＯＭ）、コンパクト・ディスク−読取／書込（ＣＤ−Ｒ／Ｗ）およびＤＶＤ等がある。
【００４０】
他に別段の指定がない限り、「ある実施形態」、「一実施形態」、「実施形態」、「幾つかの実施形態」、「上記実施形態」、「幾つかの上記実施形態」、「１つまたは複数の実施形態」「幾つかの実施形態」および「１つの実施形態」という用語は、１つまたは複数の（しかし、すべてではない）実施形態を意味する。「含む」、「備える」、「有する」という用語、およびその派生語は、他に別段の指定がない限り、「含むがこれらに限定されない」を意味する。他に別段の指定がない限り、項目の列挙リストは、任意のまたはすべての項目が、相互に排他的であることを意味するものではない。
【００４１】
他に別段の指定がない限り、相互に通信しているデバイスは、相互に連続的に通信していなくてもよい。さらに、相互に通信しているデバイスは、１つまたは複数の媒介を通して直接または間接に通信することができる。さらに、相互に通信している幾つかのコンポーネントを含む実施形態の説明は、そのようなすべてのコンポーネントを必要とすることを意味しない。逆に、種々のオプションとしてのコンポーネントの説明は、種々様々の可能な実施形態を示すためのものである。
【００４２】
さらに、プロセスのステップ、方法のステップ、アルゴリズム等はシーケンシャルに説明することができるが、このようなプロセス、方法およびアルゴリズムは、交互に動作するように構成することができる。すなわち、記述することができるステップの任意のシーケンスまたは順序は、ステップをそのような順序で実行しなければならないことを必ずしも意味するものではない。本明細書に記載するプロセスのステップは、実際には任意の順序で実行することができる。さらに、幾つかのステップを同時に（simultaneously）、並列に（in parallel）または並行して（concurrently）実行することができる。
【００４３】
本明細書においては１つのデバイスまたは物品について説明している場合は、１つのデバイス／物品の代わりに、（協同するしないは別として）２つ以上のデバイス／物品を使用することができることを理解することができるだろう。同様に、本明細書においては、（協同するしないは別として）２つ以上のデバイスまたは物品について説明している場合には、２つ以上のデバイスまたは物品の代わりに、１つのデバイス／物品を使用することができることを理解することができるだろう。あるデバイスの機能および／または特徴は、そのような機能／特徴を有すると明示されていない１つまたはそれ以上の他のデバイスにより別の方法により実施することができる。それ故、他の実施形態はデバイス自身を含む必要はない。
【００４４】
図１０は、計算システムのアーキテクチャである。この場合、ある実施形態の場合には、図８のコンピューティング環境の計算装置は、計算システムのアーキテクチャにより実施することができる。コンピュータ・システム１０００は、また、システムと呼ぶこともできるし、ある実施形態の場合にはプロセッサ１００４を含むことができる回路１００２を含むことができる。また、システム１０００は、メモリ１００６（たとえば、揮発性メモリ・デバイス）および記憶装置１００８を含むことができる。記憶装置１００８は、不揮発性メモリ・デバイス（たとえば、ＥＥＰＲＯＭ、ＲＯＭ、ＰＲＯＭ、ＲＡＭ、ＤＲＡＭ、ＳＲＡＭ、フラッシュ、ファームウェア、プログラマブル・ロジック等）、磁気ディスク・ドライブ、光ディスク・ドライブ、テープ・ドライブ等を含むことができる。記憶装置１００８は、内部記憶装置デバイス、外部記憶装置デバイスおよび／またはネットワーク・アクセス可能記憶装置デバイスを備えることができる。システム１０００は、メモリ１００６内にロードすることができ、プロセッサ１００４または回路１００２により実行することができるコード１０１２を含むプログラム・ロジック１０１０を含むことができる。ある実施形態の場合には、コード１０１２を含むプログラム・ロジック１０１０を記憶装置１００８内に格納することができる。ある他の実施形態の場合には、プログラム・ロジック１０１０は、回路１００２内で実施することができる。それ故、図１０は他の要素とは別にプログラム・ロジック１０１０を示しているが、プログラム・ロジック１０１０は、メモリ１００６および／または回路１００２で実施することができる。
【００４５】
ある実施形態は、人手または自動処理統合コンピュータ読み取り可能コードにより、計算命令を計算システム内に展開するための方法用に構成することができる。この場合、コードは計算システムと一緒に上記実施形態の動作を実行することができる。
【００４６】
図１〜図１０に示す動作のうちの少なくともあるものを並列にまたシーケンシャルに実行することができる。他の実施形態の場合には、動作のうちのあるものを修正または除去した異なる方法で実行することができる。
【００４７】
さらに、多くのソフトウェア・コンポーネントおよびハードウェア・コンポーネントを説明のために別々のモジュールで説明してきた。このようなコンポーネントは、もっと少ない数のコンポーネントに統合することもできるし、もっと多くの数のコンポーネントに分割することもできる。さらに、特定のコンポーネントにより実行すると説明した幾つかの動作を他のコンポーネントにより実行することができる。
【００４８】
図１〜図１０に示すデータ構造およびコンポーネントを、特定のタイプの情報を有するものとして説明する。他の実施形態の場合には、データ構造およびコンポーネントを異なる構造にし、もっと少ないか、もっと多いか、または異なる分野またはこれらの図面に示し説明したものとは異なる機能を有することができる。それ故、実施形態についての上記説明は、図示および説明のためのものである。本明細書はすべてのものを網羅するためのものでもなければ、実施形態を開示の正確な形状に限定するためのものでもない。上記説明を読めば分かるように、多くの修正および変更を行うことができる。
【図面の簡単な説明】
【００４９】
【図１】ある実施形態による北東部の暴風雨、および中西部の寒冷前線の詳細を示す例示としての天気図である。
【図２】例示としての発表者の第１の位置を示す。この場合、この第１の位置においては、例示としての発表者は北東部の暴風雨の詳細を覆い隠している。
【図３】例示としての発表者の第２の位置を示す。この場合、この第２の位置においては、例示としての発表者は中西部の寒冷前線の詳細を覆い隠している。
【図４】ある実施形態によるブルースクリーンの前に立っている例示としての発表者を示す。
【図５】ある実施形態による発表者の周囲の天気図のようなプレゼンテーション素材の例示としてのデジタル再マッピングを示す。
【図６】ある実施形態によるテキストを含む表示の前に立っている例示としての発表者を示す。
【図７】ある実施形態による発表者の周囲のテキストを含むプレゼンテーション素材の例示としてのデジタル再マッピングを示す。
【図８】ある実施形態によるの装置を示す。
【図９】ある実施形態による装置によるプレゼンテーション素材の再マッピングのフローチャートである。
【図１０】ある実施形態のシステムを示す。
【符号の説明】
【００５０】
１００  天気図
１０２  北東部の暴風雨
１０４  中西部の寒冷前線
２００  第１の位置
３００  第２の位置
４００  発表者
４０２  ブルースクリーン
５００  発表者
５０２  プレゼンテーション素材
５０４  左に位置する第１の領域
５０６  右に位置する第２の領域
【図１】
2008035513.tif 000003
【図２】
2008035513.tif 000004
【図３】
2008035513.tif 000005
【図４】
2008035513.tif 000006
【図５】
2008035513.tif 000007
【図６】
2008035513.tif 000008
【図７】
2008035513.tif 000009
【図８】
2008035513.tif 000010
【図９】
2008035513.tif 000011
【図１０】
2008035513.tif 000012